(57)【要約】【課題】キーロックをした状態から主操作部を使った操作を行う場合、携帯端末装置を開状態にするだけで主操作部を使用することができるため、従来と比較して操作の手間を省き、操作性を向上させることができる携帯端末装置を提供すること。【解決手段】表示部側筐体と操作部側筐体とが開閉可能に連結され、主操作部は閉状態にて表示部側筐体により覆われ且つ開状態にて外側に露出すると共に、閉状態にて両筐体の互いに対向する面以外の面に少なくとも一つの補助的操作部を備える携帯端末装置において、閉状態で主操作部及び補助的操作部をそれぞれロックするキーロック手段と、該キーロック手段により主操作部及び補助的操作部をそれぞれロックした後、両筐体を開状態とすると、補助的操作部のロックを維持したまま、主操作部のロックを解除するキーロック解除手段とを設けた。【選択図】      図５
2004289266.tif 000002
【特許請求の範囲】
【請求項１】
少なくとも表示部を有する表示部側筐体と、少なくとも複数のキーからなる主操作部を有する操作部側筐体とが開閉可能に連結され、
前記主操作部は閉状態にて前記表示部側筐体により覆われ且つ開状態にて外側に露出すると共に、前記閉状態にて前記両筐体の互いに対向する面以外の面に少なくとも一つのキーからなる補助的操作部を備える携帯端末装置において、
前記閉状態にて前記主操作部及び補助的操作部をそれぞれロックするキーロック手段と、
該キーロック手段により前記主操作部及び補助的操作部をそれぞれロックした後、前記両筐体を開状態とすると、前記補助的操作部のロックを維持したまま、前記主操作部のロックを解除するキーロック解除手段と
を具備することを特徴とする携帯端末装置。
【請求項２】
前記キーロック手段は、前記キーロック解除手段により前記主操作部のロックを解除した後、前記両筐体を閉状態とすると、前記主操作部を再ロックすることを特徴とする請求項１に記載の携帯端末装置。
【請求項３】
前記表示部は、前記表示部側筐体の対向する面と反対側の面に配置してあることを特徴とする請求項１又は請求項２に記載の携帯端末装置。
【発明の詳細な説明】
【０００１】
【発明の属する技術分野】
本発明は、複数の筐体が開閉可能に連結され、キーロック機能を備えた携帯電話機やＰＤＡ（Ｐｅｒｓｏｎａｌ  Ｄｉｇｉｔａｌ  Ａｓｓｉｓｔａｎｔｓ）等の携帯端末装置に関するものである。
【０００２】
【従来の技術】
近年、携帯電話機やＰＤＡ（Ｐｅｒｓｏｎａｌ  Ｄｉｇｉｔａｌ  Ａｓｓｉｓｔａｎｔｓ）等の携帯端末装置には、インターネット、電子メール、動画／静止画の表示、スケジュール管理等の高機能を備えたものが提案されており、これら高機能の搭載に伴い、携帯端末装置の表示部はカラー化、高解像度化、大画面化の傾向にある。
ところで、この種の携帯端末装置は表示部の大画面化と携帯性の向上を達成するため、携帯端末装置の筐体を、表示部を備えた表示部側筐体と、複数のキーからなる主操作部を備えた操作部側筐体とに分割し、閉状態では表示部側筐体にて主操作部を覆うように両筐体を重ねて配置することができ、開状態では主操作部を外部に露出させることができるようにした携帯端末装置が提案されている（例えば、特許文献１及び２参照）。
【０００３】
【特許文献１】
特開平１１−２１５２１８号公報
【特許文献２】
特開２００２−１３５３８０号公報
【０００４】
【発明が解決しようとする課題】
ところで、特許文献１及び２に示すような２つの筐体を閉じた状態でも表示部の情報を確認することができる携帯端末装置では、閉状態にて補助的操作部が外部に露出しているため、この補助的操作部が不用意に押されると誤動作を引き起こす恐れがあった。その為、閉状態において露出する補助的操作部の操作を無効とするキーロック機能を設けることでポケットや鞄等に携帯している際の誤動作を防止するようにしたものもあった。
しかしながら、この種の携帯端末装置において、２つの筐体を開いた状態では必然的に主操作部を使用することができる状態にあるにも関わらず、主操作部及び補助的操作部のキーロックがかかっていると、例えば、主操作部又は補助的操作部のキーを長押ししてキーロックを解除してからでなければ主操作部を使用することができず、キーロックを設定した状態から各種機能の使用可能な状態に移るまでに手間がかかるといった課題があった。
【０００５】
【課題を解決するための手段】
そこで、上記課題に鑑み、請求項１に係る発明は、少なくとも表示部を有する表示部側筐体と、少なくとも複数のキーからなる主操作部を有する操作部側筐体とが開閉可能に連結され、前記主操作部は閉状態にて前記表示部側筐体により覆われ且つ開状態にて外側に露出すると共に、前記閉状態にて前記両筐体の互いに対向する面以外の面に少なくとも一つのキーからなる補助的操作部を備える携帯端末装置において、前記閉状態にて前記主操作部及び補助的操作部をそれぞれロックするキーロック手段と、該キーロック手段により前記主操作部及び補助的操作部をそれぞれロックした後、前記両筐体を開状態とすると、前記補助的操作部のロックを維持したまま、前記主操作部のロックを解除するキーロック解除手段とを具備することを特徴とする。
請求項２に係る発明は、請求項１に記載の携帯端末装置において、前記キーロック解除手段により前記主操作部のロックを解除した後、前記両筐体を閉状態とすると、前記キーロック手段によって前記主操作部を再ロックするようにしたことを特徴とする。
請求項３に係る発明は、請求項１又は請求項２に記載の携帯端末装置において、前記表示部を、前記表示部側筐体の対向する面と反対側の面に配置したことを特徴とする。
【０００６】
【発明の実施の形態】
以下、本発明の実施形態について説明する。
図１は本発明の携帯端末装置の一例である携帯電話機の閉状態を示す図で、（ａ）は正面図、（ｂ）は左側面図である。図２は本発明の携帯端末装置の一例である携帯電話機の開状態を示す図で、（ａ）は正面図、（ｂ）は背面図である。図３は本発明の携帯端末装置の一例である携帯電話機の開状態を示す図で、（ａ）は左側面図、（ｂ）は右側面図である。
【０００７】
図１及び図２に示すように、この携帯電話機１００は、表示部１０６を有する表示部側筐体１０１ａと、主操作部１０２を有する操作部側筐体１０１ｂとから構成され、両筐体１０１ａ，１０１ｂは重ねて配置され、表示部側筐体１０１ａが操作部側筐体１０１ｂの主操作部１０２を覆うようになっている。
両筐体１０１ａ，１０１ｂは、重ねた状態（「閉状態」ともいう）において、両筐体１０１ａ，１０１ｂの端部に備える軸１０４により連結されており、重ねた状態においても表示部１０６の表示面１０６ａを外側から見ることができるように、表示部側筐体１０１ａの操作部側筐体１０１ｂと対向する面と反対側の面に表示部１０６を備えると共に、重ねた状態でも各種機能を起動させることができるように、表示部側筐体１０１ａ及び操作部側筐体１０１ｂの側面には補助的操作部１０３を設けてある。
【０００８】
なお、１０７ａ，１０７ｂはそれぞれ表示部側筐体１０１ａの表示部１０６を有する面に設けられたスピーカーで、表示部１０６を挟んで上下に配置されており、また、１０８は操作部側筐体１０１ｂの主操作部１０２を有する面に設けられたマイク、１０５は操作部側筐体１０１ｂの端面に設けられたアンテナである。
そして、表示部側筐体１０１ａと操作部側筐体１０１ｂとが重ねられた状態から軸１０４を中心にして、表示部側筐体１０１ａを矢印Ａに示す方向に１８０度回動させることにより、図２及び図３に示すように、操作部側筐体１０１ｂに備える主操作部１０２が完全に外側に見える、開状態とすることができ、この時、表示部１０６は主操作部１０２と略同じ方向を向いた状態で回動するため、開状態でも表示部１０６の表示面１０６ａを外側から見ることができるようになっている。
【０００９】
ただし、閉状態から表示部側筐体１０１ａを操作部側筐体１０１ｂに対して１８０度回動させた開状態とすると、表示画面の上下の向きが逆になるため、表示画面の上下を１８０度反転させて表示するようになっている。
また、この携帯電話機１００は、開状態において表示部側筐体１０１ａを操作部側筐体１０１ｂに対して傾斜させた状態で配置するようになっており、例えば、表示部側筐体１０１ａの表示部１０６を有する面と反対側の面を操作部側筐体１０１ｂの主操作部１０２を有する面に対して０度より大きく、７０度以下の角度範囲θで傾斜させることで、例えば、通話時に表示部側筐体１０１ａのスピーカー１０７ｂをユーザーの耳元に近づければ、操作部側筐体１０１ｂのマイク１０８をユーザーの口元に近づけることができるようになっている。
【００１０】
なお、この携帯電話機１００では、表示部側筐体１０１ａが軸１０４を中心にして回動するような構成を示したが、これとは別の実施形態として、レール等を設けて図１に示した状態から表示部側筐体１０１ａを操作部側筐体１０１ｂに対して上下にスライドさせる構造や、表示部側筐体１０１ａと操作部側筐体１０１ｂとがボールジョイント等の連結部を介して連結し、折り畳み動作と捻り動作を共に行うことができる構造、さらには表示部側筐体１０１ａと操作部側筐体１０１ｂとをヒンジを介して折り畳み可能に連結した構造など、少なくとも表示部を有する表示部側筐体と、少なくとも複数のキーからなる主操作部を有する操作部側筐体とが開閉可能に連結され、主操作部が閉状態にて前記表示部側筐体により覆われ且つ開状態にて外側に露出すると共に、閉状態にて両筐体の互いに対向する面以外の面に少なくとも一つのキーからなる補助的操作部を備えた構造を有するものであれば構わない。
【００１１】
次に、主操作部１０２及び補助的操作部１０３について説明する。
主操作部１０２は、図２（ａ）に示すように、文字や数字の入力を行うテンキー１０２ｃ、表示面１０６ａに表示されている項目の選択、決定や表示面１０６ａのスクロール等を行う十字キー１０２ａ、及び各種設定項目を呼び出したり、発呼や終話、あるいは電源のＯＮ／ＯＦＦ等を行うファンクションキー１０２ｂ等からなる。
【００１２】
補助的操作部１０３は、図１（ｂ）に示すように、表示部側筐体１０１ａの側面に有するサイドキー１０３ｂと、操作部側筐体１０１ｂの側面に有する３方向レバーキー１０３ａとからなり、サイドキー１０３ｂは、閉状態において長押しすることにより主操作部１０２及び補助的操作部１０３の操作を無効及び有効とする、キーロックの設定及び解除を行うことができるようになっている。
【００１３】
また、３方向レバーキー１０３ａは、矢印Ｂに示すように上下に移動させることにより表示面１０６ａに表示されている項目の選択や表示面１０６ａのスクロール等を行うことができ、また、押下することで決定ボタンとして機能するようになっている。
そして、図１に示すように、表示部側筐体１０１ａと操作部側筐体１０１ｂとが重ねられた閉状態では、主操作部１０２による操作ができないため、３方向レバーキー１０３ａの操作によって、各種機能を起動させることができると共に、着信があった場合、通話することができるようにもなっている。
【００１４】
即ち、閉状態にて携帯電話機１００に着信があった場合、２つのスピーカー１０７ａ，１０７ｂより独立した着信音が放音され、補助的操作部１０３の３方向レバーキー１０３ａを押下すると着信音が止まり、スピーカー１０７ｂが不動作となるとともに、スピーカー１０７ａが受話スピーカーとなり、またマイク１０８が動作して通話を行うことができるようになっている。
【００１５】
また、図２に示すように、表示部側筐体１０１ａと操作部側筐体１０１ｂとが開いた状態では、ファンクションキー１０２ａの操作によって、各種機能を起動させることができると共に、着信があった場合、通話することができるようになっている。
即ち、開状態にて携帯電話機１００に着信があった場合、２つのスピーカー１０７ａ，１０７ｂより独立した着信音が放音され、ファンクションキー１０２ｂを押下すると着信音が止まり、スピーカー１０７ａが不動作となると共に、スピーカー１０７ｂが受話スピーカーとなり、またマイク１０８が動作して通話を行うことができるようになっている。
【００１６】
次に、本発明の携帯電話機１００における回路ブロック図（図４）について説明する。
制御部２３には、マイク１０８、スピーカー１０７ａ，１０７ｂ、表示部１０６、記憶部２４、アンテナ１０５に接続された無線部２１、両筐体１０１ａ，１０１ｂの開閉状態を検出する開閉検出部２２、主操作部１０２及び補助的操作部１０３のロック設定／解除を行うキーロック制御部２５がそれぞれ接続されており、キーロック制御部には主操作部１０２と補助的操作部１０３がそれぞれ接続されている。なお、記憶部２４内には、閉状態において主操作部１０２や補助的操作部１０３のロックが解除されたノーマルモードにある場合をＦＬＡＧ＝０、ロックするキーロックモードにある場合をＦＬＡＧ＝１とする情報が記憶されている。
【００１７】
そして、制御部２３は、閉状態であってノーマルモードである場合に両筐体１０１ａ，１０１ｂの開動作が行われ、開閉検出部２２にて開状態を検知すると、キーロック制御部２５は補助的操作部１０３のみをロックし、再度閉状態となると、補助的操作部１０３のロックを解除するようになっている。
ここで、ノーマルモードであるにもかかわらず、開状態のときに補助的操作部１０３をロックするのは、通常、開状態では主操作部１０２を使用する状態にあるからで、このような開状態のときに不意に補助的操作部２５が押下されることによる誤動作を防止するためである。
【００１８】
また、制御部２３は、閉状態であってノーマルモードである場合、サイドキー１０３ｂの長押しによってキーロック制御部２５を制御して主操作部１０２及び補助的操作部１０３の双方をロックし、それぞれの操作を無効とするようになっている。ここで、両筐体１０１ａ，１０１ｂを閉じたキーロックモードにおいて、外部に露出する補助的操作部１０３だけでなく、表示部側筐体１０１ａによって覆われている主操作部１０２の操作も無効とするのは、携帯電話機１００をポケットや鞄等に携行している際、外力が作用して表示部側筐体１０１ａが凹に変形することによって主操作部１０２が押下されたとしても誤動作することを防止するためである。
【００１９】
また、制御部２３は、閉状態であってキーロックモードである場合に両筐体１０１ａ，１０１ｂの開動作が行われ、開閉検出部２２にて開状態となったことを検知すると、キーロック制御部２５を制御して補助的操作部１０３のロックを維持したまま、主操作部１０２のロックを解除して、テンキー１０２ａ、十字キー１０２ｂ、ファンクションキー１０２ｃの操作を有効とするようになっている。さらに、制御部２３は、開状態であってキーロックモードである場合に両筐体１０１ａ，１０１ｂを再度閉状態とすると、キーロック制御部２５を制御して補助的操作部１０３のロックを維持したまま、主操作部１０２を再ロックするようになっている。
【００２０】
次に、本発明の携帯電話機１００の動作について図５及び図６を基に説明する。
本発明の携帯電話機１００は、前述したように、ノーマルモードとキーロックモードとを有し、ＦＬＡＧ＝０の場合をノーマルモード、ＦＬＡＧ＝１の場合をキーロックモードとしてある。
図５において、携帯電話機１００の電源を入れると、ＦＬＡＧを初期化してＦＬＡＧ＝０、すなわち、閉状態において補助的操作部１０３の操作を無効とする以外は、主操作部１０２及び補助的操作部１０３による操作が可能なノーマルモードに設定される（Ｓ５０１）。
【００２１】
その後、Ｓ５０３にて両筐体１０１ａ，１０１ｂが開かれた状態であることを開閉検出部２５が検知すると、処理Ａ（図６）に進むようになっている。なお、処理Ａについては後述する。
Ｓ５０３にて両筐体１０１ａ，１０１ｂが閉じられた状態であることを開閉検出部２５が検知すると、Ｓ５０５にて補助的操作部１０３のいずれかのキー操作が行われたか否かを検知し、キー操作が行われた場合、そのキー操作がサイドキー１０３ｂの長押し（例えば、２秒以上）であるか否かを検知し（Ｓ５０７）、サイドキー１０３ｂの長押しであった場合にはＳ５０９へ進み、また、サイドキー１０３ｂの長押しでなかった場合にはＳ５１９へ進むようになっている。
【００２２】
そして、キー操作がサイドキー１０３ｂの長押しであった場合、Ｓ５０９にてＦＬＡＧ＝０であるか否かを確認し、ＦＬＡＧ＝０であった場合、主操作部１０２及び補助的操作部１０３の双方をロックして操作を無効とし（Ｓ５１１）、しかるのち、ＦＬＡＧをＦＬＡＧ＝１に切り換えてキーロックモードに設定する（Ｓ５１３）。
これにより、閉状態において外部に露出する補助的操作部１０３が不意に押されたとしても誤動作を起こすことがなく、また、ポケットや鞄等に携行している際、外部圧力によって表示部側筐体１０１ａが変形することにより主操作部１０２が不意に押されたとしても誤動作を起こすことがない。
【００２３】
一方、Ｓ５０７にてサイドキー１０３ｂの長押しが確認され、Ｓ５０９にてＦＬＡＧがＦＬＡＧ＝１であった場合、キーロックモードを解除して主操作部１０２及び補助的操作部１０３の操作を有効とし（Ｓ５１５）、しかるのち、ＦＬＡＧをＦＬＡＧ＝０に切り換えてノーマルモードに設定する（Ｓ５１７）。
また、Ｓ５０５におけるキー操作がサイドキー１０３ｂの長押しでなかった場合、Ｓ５１９にてＦＬＡＧを確認し、ＦＬＡＧ＝０（ノーマルモード）であった場合、各キーの操作に応じた処理を行い（Ｓ５２１）、また、Ｓ５１９におけるＦＬＡＧがＦＬＡＧ＝１（キーロックモード）であった場合、補助的操作部１０３のいずれの操作も無効とするようになっている（Ｓ５２３）。
そして、Ｓ５１３，Ｓ５１７，Ｓ５２１，Ｓ５２３の各処理が終了したら、Ｓ５０３へ戻るようになっている。
【００２４】
次に、処理Ａについて図６を基に説明する。
Ｓ５０３にて開状態にした場合、Ｓ６０１にてＦＬＡＧ＝１であるか否かを確認する。この結果、ＦＬＡＧ＝１、すなわちキーロックモードである場合、Ｓ６０３にて補助的操作部１０３のロックは維持したまま、主操作部１０２のみロックを解除する。
このように、キーロックモードに設定していたとしても、閉状態から主操作部１０２の使用を可能とする開状態とすることで、キーロックモードの解除を行うことなく、主操作部１０２による操作を直ちに行うことができる。
【００２５】
一方、Ｓ６０１にてＦＬＡＧがＦＬＡＧ＝０である場合、ノーマルモードであるものの、Ｓ６１９にて補助的操作部１０３をロックする。
即ち、開状態において携帯電話機１００に備える、電話機能、インターネット機能、電子メール機能、動画／静止画の表示機能、スケジュール管理機能等の各種機能を使用している際に、不意に補助的操作部１０３が押されたとしても誤動作を生じたり、使用している機能が切り換わってしまうといった不都合を防止するようになっている。
【００２６】
次に、Ｓ６０５にて開状態から再度閉状態にされたか否かを確認し、開状態を維持している場合、Ｓ６０７にて主操作部１０２又は補助的操作部１０３のいずれかのキー操作が行われたか否かを検知し、キー操作が行われた場合、そのキー操作がサイドキー１０３ｂの長押し（例えば、２秒以上）であるか否かを検知する（Ｓ６０９）。そして、Ｓ６０９の結果がサイドキー１０３ｂの長押しであった場合、Ｓ６１１にてＦＬＡＧ＝０であるか否かを確認し、ＦＬＡＧ＝０であった場合、Ｓ６１３でＦＬＡＧをＦＬＡＧ＝１に書き換えてキーロックモードに設定し、また、Ｓ６１１における各ＦＬＡＧがＦＬＡＧ＝１であった場合、Ｓ６１５でＦＬＡＧをＦＬＡＧ＝０に書き換えてノーマルモードに設定する。そして、Ｓ６１３、Ｓ６１５の処理が行われた後はＳ６０１へ戻るようになっている。
【００２７】
また、Ｓ６０７におけるキー操作がサイドキー１０３ｂの長押しでなかった場合、開状態においてはノーマルモード及びキーロックモードのいずれのモードでも主操作部１０２の操作は有効であるため、キー操作により携帯電話機１００が有する、電話機能、インターネット機能、電子メール機能、動画／静止画の表示機能、スケジュール管理機能等の各種機能を実行することができるようになっている。
【００２８】
一方、Ｓ６０５において両筐体１０１ａ，１０１ｂが開状態から閉状態とされたことを検知した場合、Ｓ６２１にてＦＬＡＧ＝０であるか否かを確認し、ＦＬＡＧ＝０であった場合はノーマルモードにあるため、主操作部１０２の操作を有効とした状態で補助的操作部１０３のロックを解除し、また、ＦＬＡＧ＝１であった場合はキーロックモードにあるため、主操作部１０２をロックすると共に、補助的操作部１０３のロックを継続させる。そして、Ｓ６２３、Ｓ６２５の処理が終了した後は処理Ｂへ進むようになっている。
【００２９】
以上、本実施形態では携帯電話機を例にとって説明したが、この他、主操作部と補助的操作部を有し、キーロック機能を備えたＰＤＡなどの携帯端末装置にも本発明を適用できることは言う迄もない。
また、本発明は上述した実施形態だけに限定されるものではなく、本発明の要旨を逸脱しない範囲で改良や変更したものにも適用できることは言う迄もない。
【００３０】
【発明の効果】
以上のように、請求項１に係る発明によれば、少なくとも表示部を有する表示部側筐体と、少なくとも主操作部を有する操作部側筐体とが開閉可能に連結され、前記主操作部は閉状態にて前記表示部側筐体により覆われ且つ開状態にて外側に露出すると共に、前記閉状態にて前記両筐体の互いに対向する面以外の面に少なくとも一つの補助的操作部を備える携帯端末装置において、前記閉状態で前記主操作部及び補助的操作部をそれぞれロックするキーロック手段と、該キーロック手段により前記主操作部及び補助的操作部をそれぞれロックした後、前記両筐体を開状態とすると、前記補助的操作部のロックを維持したまま、前記主操作部のロックを解除するキーロック解除手段とを設けたことによって、キーロックをした状態から主操作部を使った操作を行う場合、携帯端末装置を開状態にするだけで主操作部を使用することができるため、従来と比較して操作の手間を省き、操作性を向上させることができる。
【００３１】
請求項２に係る発明によれば、請求項１に記載の携帯端末装置において、前記キーロック手段は、前記キーロック解除手段により前記主操作部のロックを解除した後、前記両筐体を閉状態とすると、前記主操作部を再ロックするようにしたことによって、開状態から閉状態とするだけでキーロックを維持することができ、更めてキーロック操作を行う必要がない。
請求項３に係る発明によれば、請求項１又は請求項２に記載の携帯端末装置において、前記表示部を、表示部側筐体の対向する面と反対側の面に配置したことによって、閉状態でも表示部の情報を見ることができる。
【図面の簡単な説明】
【図１】本発明の携帯端末装置の一例である携帯電話機の閉じた状態を示す図で、（ａ）は正面図、（ｂ）は左側面図である。
【図２】本発明の携帯端末装置の一例である携帯電話機の開いた状態を示す図で、（ａ）は正面図、（ｂ）は背面図である。
【図３】本発明の携帯端末装置の一例である携帯電話機の開いた状態を示す図で、（ａ）は左側面図、（ｂ）は右側面図である。
【図４】本発明の携帯端末装置の一例である携帯電話機の回路ブロック図である。
【図５】本発明の携帯端末装置の一例である携帯電話機の動作を説明するためのフローチャートである。
【図６】本発明の携帯端末装置の一例である携帯電話機の動作を説明するためのフローチャートである。
【符号の説明】
２１    無線部
２２    開閉検出部
２３    制御部
２４    記憶部
２５    キーロック制御部
１００    携帯電話機
１０１ａ    表示部側筐体
１０１ｂ    操作部側筐体
１０３    補助的操作部
１０３ａ    ３方向レバーキー
１０３ｂ    サイドキー
１０４    軸
１０５    アンテナ
１０６    表示部
１０６ａ    表示面
１０７ａ，１０７ｂ    スピーカー
１０８    マイク
【図１】
2004289266.tif 000003
【図２】
2004289266.tif 000004
【図３】
2004289266.tif 000005
【図４】
2004289266.tif 000006
【図５】
2004289266.tif 000007
【図６】
2004289266.tif 000008